(57)【要約】  上面に設けられたテーブルと、側面に設けられた収納部と、を備えた床側ユニットを含む航空機用ギャレーユニットであって、前記床側ユニットの外周は、すべて通路に囲繞されている。
2016046899.tif 000002
【特許請求の範囲】
【請求項１】
上面に設けられたテーブルと、側面に設けられた収納部と、を備えた床側ユニットを含む航空機用ギャレーユニットであって、
前記床側ユニットの外周は、すべて通路に囲繞されている
ことを特徴とする航空機用ギャレーユニット。
【請求項２】
前記床側ユニットの上方の天井部に取り付けられた天井側ユニットをさらに備える
ことを特徴とする請求項１に記載の航空機用ギャレーユニット。
【請求項３】
前記天井側ユニットと前記床側ユニットとを連結する複数の支柱をさらに備える
ことを特徴とする請求項１又は２に記載の航空機用ギャレーユニット。
【請求項４】
前記床側ユニットの側面と前記天井部又は前記天井側ユニットの側面との間で、展開又は収納可能に取り付けられた遮断部をさらに備える
ことを特徴とする請求項１〜３のいずれかに記載の航空機用ギャレーユニット。
【発明の詳細な説明】
【技術分野】
【０００１】
本発明は、旅客航空機に搭載されるギャレー（調理室）ユニットの構造に関する。
【背景技術】
【０００２】
旅客航空機に搭載される航空機用ギャレーは、乗客数を増加させるためにシート数を増加させたり、乗客の乗り心地を考慮してシート間の距離を確保するために、ギャレーユニット自体の省スペース化が求められている。
その一方で、国際線等の長時間のフライトとなる場合には、例えばトイレに立つ等で自分の定められたシートから離席することがある。また、長時間シートベルトを着用した状態でシートに着席し続けることは、乗客にとって少なからず負担となっている。【０００３】
このような乗客の負担を軽減するために、従来は、例えば航空機のシートが設けられる領域の一部に、天井から床面までを遮る複数の側壁で閉スペースを形成したモジュールを配置し、当該モジュールの内部の閉スペースにソファーやテーブル、遊び道具等を配置することにより、乳幼児用のケア室や子供用の遊戯室もしくは大人も使用できる休憩室として利用することが知られている（例えば、特許文献１参照）。
【先行技術文献】
【特許文献】
【０００４】
【特許文献１】特表２００６−５１６５１２号公報
【発明の概要】
【発明が解決しようとする課題】
【０００５】
しかしながら、特許文献１に記載されたモジュールは、航空機のキャビン内に自由に利用できる閉スペースを形成できる点での利点はあるものの、閉スペースであるために室内へのアプローチはドア等の入口のみに限られるため、当該モジュールで使用するスペースへのアクセス性の面で十分ではない。
また、航空機のキャビン内に追加的な側壁又はモジュールユニットを取り付ける必要があるため、航空機の製造コストや重量を低減することが困難となる。
そこで、本発明の目的は、乗客の誰もが自由に利用できるスペースを簡素な構成で製造できるとともに、アクセス性を向上した航空機用ギャレーユニットを提供することにある。
【課題を解決するための手段】
【０００６】
上記課題を解決するために、本発明の航空機用ギャレーユニットは、上面に設けられたテーブルと、側面に設けられた収納部と、を備えた床側ユニットを含む航空機用ギャレーユニットであって、前記床側ユニットの外周は、すべて通路に囲繞されている。【０００７】
本発明の航空機用ギャレーユニットの一実施例において、前記床側ユニットの上方の天井部に取り付けられた天井側ユニットを備えている。
また、前記天井側ユニットと前記床側ユニットとを連結する複数の支柱を備えている。
さらに、前記床側ユニットの側面と前記天井部又は前記天井側ユニットの側面との間で、展開又は収納可能に取り付けられた遮断部を備えている。
【発明の効果】
【０００８】
本発明の航空機用ギャレーユニットによれば、乗客の誰もが自由に利用できるスペースを簡素な構成で製造できるとともに、アクセス性を向上させることができる。
【図面の簡単な説明】
【０００９】
【図１】本発明による航空機に搭載されるギャレーユニットの概要を示す斜視図である。
【図２】本発明のギャレーユニットの第１の変形例を示す側面図である。
【図３】本発明のギャレーユニットの第２の変形例を示す正面図である。
【発明を実施するための形態】
【００１０】
図１は、本発明による航空機に搭載されるギャレーユニットの概要を示す斜視図である。
図１に示すように、本発明のギャレーユニット１０は、航空機キャビン内の床面１の中間領域に配置される。このため、ギャレーユニット１０の左右には、通路を挟んで化粧室４等の設備が配置される（化粧室４に代えて座席３、他のギャレーユニット、収納庫（クローゼット）、あるいはバーユニット等を設けてもよい）。
また、ギャレーユニット１０の前後にも通路を挟んで座席３等の設備が配置される。
【００１１】
本発明のギャレーユニット１０は、床側ユニット１１を含む。床側ユニット１１は床面１に載置された箱状の構造物であって、上面に設けられたテーブル１２と、側面からアプローチする収納部１３と、を備える。
テーブル１２は、床側ユニット１１の上面に位置し、乗務員が食べ物や飲み物等を準備するための作業台としての機能と、食べ物や飲み物等を並べて置いておくための載置台としての機能と、を備える。
【００１２】
収納部１３は、食べ物や飲み物等のストックやカート等を内部に収納する。また、収納部１３は、電子レンジ、コーヒーメーカ、冷蔵庫、冷凍庫、引き出し式のシンク等のユニットを内部に収納することもできる。
図１に示すギャレーユニット１０において、床側ユニット１１の収納部１３には開閉式のドアを備える態様が示されているが、当該ドアに代えて個別の引き出し付きの収納ユニットを備える構成としてもよい。また、これらのドアや引き出しの構成は、使用する領域ごとに使い分けることも可能である。
また、収納部１３は、床側ユニット１１の一面側だけでなく、例えば対向する二面側に設けてそれぞれの面からアプローチするように構成してもよい。
【００１３】
これらの構成を備えることにより、本発明のギャレーユニット１０は、乗客の誰もが自由に利用できるスペースを簡素な構成で製造できるとともに、ギャレーユニットへのアクセス性を向上することができる。
具体的には、従来は乗客の誰もが自由に利用できるスペースを形成するために追加的な側壁によって閉スペースを形成していたが、本発明のギャレーユニット１０は、周囲を囲繞する形で通路が配置され、かつ床側ユニット１１の上面にテーブル１２を備える。
このため、側壁の仕切りを設ける代わりにギャレーユニット１０を囲繞する通路によって座席以外の自由に利用できるスペースを形成することができる。
また、ギャレーユニット１０の周囲を通路が囲繞しているため、当該ギャレーユニット１０のテーブル１２上に食べ物や飲み物等を載置しておけば、乗客が３６０°のどの方向からでもアプローチすることができ、アクセス性が向上する。
【００１４】
なお、図１では、テーブル１２が床側ユニットの上面全体に設けられる態様を示しているが、当該テーブル１２をいくつかの領域に分けて機能に応じて使い分けるように構成してもよい。
このような構成を採用すれば、テーブル１２の一部に開閉式の蓋と水栓及びシンクとを設け、飲み水を供給したり洗い物作業を行う等の機能を追加することができる。
また、図１では、床側ユニット１１は床面に平行な断面が四角形の構造物として例示されているが、断面が円形や多角形のものであってもよい。
このような構成を採用することにより、人間の心理として他人と同一の側面に横並びで立つと窮屈に感じるのに対して、本発明のギャレーユニット１０を使用する乗務員や乗客が対向する側面（アクセス面）が増えるため、本発明のギャレーユニット１０を同時に利用する利用者数を増やすことができる。
特に、断面が円形ものを採用した場合、上記した側面の同一性を意識することが薄れるため、３６０°からのアクセス性が向上するとの効果がより顕著となる。
【００１５】
本発明のギャレーユニット１０は、図１に示すように、床側ユニット１１の上方の天井に取り付けられた天井側ユニット１４を追加的に備えてもよい。
天井側ユニット１４は、天井面２に取り付けられた箱状の構造物であって、内部に収納部１５を備える。収納部１５は、食べ物や飲み物等のストックもしくはトレーや消耗品等の比較的軽量な収納物を内部に収納する。
図１に示すギャレーユニット１０において、天井側ユニット１４の収納部１５には開閉式のドアを備える態様が示されているが、当該ドアに代えて個別の引き出し付きの収納ユニットを備える構成や、リフタを取り付けて収納ユニットが上下動する構成としてもよい。また、これらのドアや引き出しの構成は、使用する領域ごとに使い分けることも可能である。
さらに、収納部１５は、天井側ユニット１４の一面側だけでなく、例えば対向する二面側に設けてそれぞれの面からアプローチするように構成してもよい。
【００１６】
これらの構成を備えることにより、本発明のギャレーユニット１０は、天井側ユニット１４に収納部１５を設けて収納スペースを確保することにより、ユニット全体でより多くの荷物や備品を収納することが可能となる。
また、従来のギャレーユニットと同等の収納スペースを確保すれば十分である場合は、ギャレーユニット１０の床側ユニット１１又は天井側ユニット１４の断面積を減らすことができるため、座席以外の自由に利用できるスペースを広げることができる。
【００１７】
なお、図１では、天井側ユニット１４は床面に平行な断面が四角形の構造物として例示されているが、断面が円形や多角形のものであってもよい。特に、断面が円形ものを採用した場合、上記した３６０°からのアクセス性が向上するとの効果がより顕著となる。
また、図１では、床側ユニット１１と天井側ユニット１４との床面に平行な断面が同一である場合を例示しているが、両ユニットの断面が異なるものを採用してもよい。例えば、床側ユニット１１と天井側ユニット１４とを異なる断面形状とすることにより、天井面や床面のスペースを別々に有効活用することができ、かつレイアウトのデザイン裕度を増すことができる。
【００１８】
さらに、天井側ユニット１４の下面（床側ユニット１１と対向する面）には、例えばテーブル１３を照らす照明等のユニットを取り付けることもできる。
このような構成を採用することにより、深夜に運航する旅客機でキャビン内の照明が弱い場合であっても、テーブル１２の近傍を明るくすることができるため、ギャレーユニット１０の利用者の利便性を高めるとともに、就寝中の他の乗客に迷惑をかけることを防止できる。
【００１９】
図２は、本発明のギャレーユニット１０の第１の変形例を示す側面図である。
図２に示すように、本発明のギャレーユニット１０は、天井側ユニット１４の側面にコイル状に巻かれたシート２０を取り付ける。また、床側ユニット１１の側面には、上記シート２０の一端を固定する固定部を設ける。
シート２０は、図２の左側に示されるように、通常は巻き取られた状態で保持されているが、必要に応じてシート２０の一端を引き出して上記床側ユニット１１の固定部に固定することにより、テーブル１２上のみを外部から遮断する遮断部を形成する。
ここで、シート２０は天井側ユニット１４のすべての側面に設けてもよいが、必要に応じてシート２０を設ける側面と設けない側面とを選択してもよい。
【００２０】
このような構成を備えることにより、通常はすべての方向からのアプローチを可能としつつ、例えば乗務員が配膳等の準備作業を行う間のみ他の乗客からテーブル１２上での作業を外部から遮断できる。
また、シート２０を遮音性の高い材料で形成すれば、テーブル１２上で音の出る作業を行う場合でも周囲の乗客に迷惑をかけることを防止できる。
さらに、シート２０を遮光性の高い材料で形成すれば、例えば深夜に運航する旅客機でキャビン内の照明を弱くした場合に、テーブル１２と座席との間を遮光できる。
【００２１】
なお、図２においては、天井側ユニット１４の側面にシート２０を配置し、床側ユニット１１の側面にシート２０の一端の固定部を配置する場合を例示したが、シート２０と固定部との位置関係を逆としてもよい。
また、図２においては、天井側ユニット１４を設ける場合を例示したが、天井側ユニット１４を設けない場合であっても、天井面と床側ユニット１１との間に上記シート２０と固定部とを配置して遮断部を形成することもできる。
さらに、上記効果を奏する遮断部を形成できる手段であれば、コイル状に巻かれたシート２０に代えて、例えばカーテンやブラインド等の手段を適用してもよい。
【００２２】
図３は、本発明のギャレーユニット１０の第２の変形例を示す正面図である。
図３に示すように、本発明のギャレーユニット１０は、床側ユニット１１と天井側ユニット１４との間に複数の支柱３０を設けることにより、床側ユニット１１と天井側ユニット１４とを結合する。
支柱３０は、図示上横方向からの荷重に対して屈曲しない程度の強度及び剛性を備えた中空又は中実の部材で形成される。このとき、上記強度及び剛性を備えるものであれば、支柱３０の断面は円形であっても多角形であってもよい。
【００２３】
このような構成を備えることにより、通常はすべての方向からのアプローチを可能としつつ、複数の支柱３０によって床側ユニット１１と天井側ユニット１４とが一体となるため、ギャレーユニット１０全体としての強度及び剛性が高まる。
また、ギャレーユニット１０全体が一体物として床面１と天井面２との間に固定されるため、例えば飛行中の悪天候等により機体が振動したりする場合であっても、床面ユニット１１が大きく振動の影響を受けることがなく、テーブル１３上に載置された物が落下する等の被害を防止できる。
【００２４】
また、本発明のギャレーユニットは、上記した実施の形態に限定されるものではなく、様々な変形例が含まれる。
その他、本発明のギャレーユニットは、その構成の一部について、本発明の技術思想を逸脱しない範囲で、その他の構成の追加・削除・置換をすることが可能である。
【００２５】
例えば、テーブルの一部に磁石を配置し、鉄製の缶やトレー等を磁力で吸着保持するように構成してもよい。
また、テーブルの外周部に起立部（壁部）を形成し、テーブル上に載せた物が転がり落ちるのを防止するように構成してもよい。
【００２６】
本発明のギャレーユニットは、上記した実施例及び変形例を組み合わせて適用することも可能である。
例えば、床側ユニットと天井側ユニットとを複数の支柱で結合した上で、当該支柱にレールを形成し、コイル状のシートをガイドして遮断部を形成する等の構成も採用できる。
【符号の説明】
【００２７】
１  床面
２  天井面
１０  ギャレーユニット
１１  床側ユニット
１２  テーブル
１３  収納部
１４  天井側ユニット
２０  シート
３０  支柱
【図１】
2016046899.tif 000003
【図２】
2016046899.tif 000004
【図３】
2016046899.tif 000005
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
上面に設けられたテーブルと、側面に設けられた収納部と、を備えた床側ユニットを含む航空機用ギャレーユニットであって、
前記床側ユニットの外周は、すべて通路に囲繞されており、
前記床側ユニットの上方の天井部に取り付けられ、収納部を有する天井側ユニットをさらに備える
ことを特徴とする航空機用ギャレーユニット。
【請求項２】
前記天井側ユニットと前記床側ユニットとを連結する複数の支柱をさらに備える
ことを特徴とする請求項１に記載の航空機用ギャレーユニット。
【請求項３】
前記床側ユニットの側面と前記天井部又は前記天井側ユニットの側面との間で、展開又は収納可能に取り付けられた遮断部をさらに備える
ことを特徴とする請求項１又は２に記載の航空機用ギャレーユニット。
【手続補正２】
【補正対象書類名】明細書
【補正対象項目名】０００６
【補正方法】変更
【補正の内容】
【０００６】
上記課題を解決するために、本発明の航空機用ギャレーユニットは、上面に設けられたテーブルと、側面に設けられた収納部と、を備えた床側ユニットを含む航空機用ギャレーユニットであって、前記床側ユニットの外周は、すべて通路に囲繞されており、前記床側ユニットの上方の天井部に取り付けられ、収納部を有する天井側ユニットをさらに備えている。
【手続補正３】
【補正対象書類名】明細書
【補正対象項目名】０００７
【補正方法】変更
【補正の内容】
【０００７】
本発明の航空機用ギャレーユニットの一実施例において、前記天井側ユニットと前記床側ユニットとを連結する複数の支柱を備えている。
さらに、前記床側ユニットの側面と前記天井部又は前記天井側ユニットの側面との間で、展開又は収納可能に取り付けられた遮断部を備えている。
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
上面に設けられたテーブルと、側面に設けられた収納部と、を備えた床側ユニットを含む航空機用ギャレーユニットであって、
前記床側ユニットの外周は、すべて通路に囲繞されており、
前記床側ユニットの鉛直上方において、航空機キャビンの天井に取り付けられた天井側ユニットであって、収納部を有する前記天井側ユニットをさらに備える
ことを特徴とする航空機用ギャレーユニット。
【請求項２】
上面に設けられたテーブルと、側面に設けられた収納部と、を備えた床側ユニットを含む航空機用ギャレーユニットであって、
前記床側ユニットの外周は、すべて通路に囲繞されており、
前記床側ユニットの上方の天井に取り付けられ、収納部を有する天井側ユニットと、
前記天井側ユニットと前記床側ユニットとを連結する複数の支柱と、をさらに備える
ことを特徴とする航空機用ギャレーユニット。
【請求項３】
前記床側ユニットの側面と前記天井又は前記天井側ユニットの側面との間で、展開又は収納可能に取り付けられた遮断部をさらに備える
ことを特徴とする請求項１又は２に記載の航空機用ギャレーユニット。
【国際調査報告】
2016046899.tif 000006
2016046899.tif 000007
2016046899.tif 000008
2016046899.tif 000009